(57)【要約】【課題】威嚇音が小音量で、住宅地にある鉄塔にも使用できる鳥追い払い装置を提供することを目的とする。【解決手段】本発明にかかる代表的な鳥追い払い装置８は、鳥類が近づいたとき検出信号を出力しかつ可変である指向性を有するセンサーと、該センサーに接続され前記検出信号が入力されたとき威嚇音を発する音源部６、前記威嚇音を放射しかつ可変である指向性を有するスピーカー７と、電池とを有し、これらが一体に構成されていることを特徴とする。【選択図】図１
2011254750.tif 000002
【特許請求の範囲】
【請求項１】
鳥類が近づいたとき検出信号を出力しかつ可変である指向性を有するセンサーと、
該センサーに接続され前記検出信号が入力されたとき威嚇音を発する音源部と、
前記威嚇音を放射しかつ可変である指向性を有するスピーカーと、
電池とを有し、
これらが一体に構成されていることを特徴とする鳥追い払い装置。
【請求項２】
前記電池が一次電池であることを特徴とする請求項１に記載の鳥追い払い装置。
【請求項３】
前記電池が太陽電池と二次電池から構成されていることを特徴とする請求項１に記載の鳥追い払い装置。
【発明の詳細な説明】
【技術分野】
【０００１】
本発明は、送電鉄塔にカラスが営巣するのを防止する鳥追い払い装置に関するものである。
【背景技術】
【０００２】
図５に示すように、カラス１は３月から４月にかけて、しばしば高圧送電線路の鉄塔２の腕金３先端に巣４を作る。カラス１は巣４の外側に小枝、木片などの素材を使うが、都市部では、ポリエチレンのひも、ビニール袋など自然界にはないものまで材料として使用する。なかでも針金ハンガーは、巣４を頑丈に作るための格好の材料となる。しかし針金ハンガーは導電性を有するため、送電線と腕金３が短絡してしまう場合がある。このため、腕金３に対する営巣を阻止する必要がある。
【０００３】
この問題を解決するための技術としては、「鉄塔用鳥害防止装置」(特許文献１)がある。この鉄塔用鳥害防止装置は、鳥感知センサーと、音声記憶回路と、音声選択出力回路と、太陽電池および二次電池とからなり、前記鳥感知センサーが作動するに従い音声記憶回路からランダムに選択された威嚇音を周囲に発声させるものである。
【先行技術文献】
【特許文献】
【０００４】
【特許文献１】特開平９−１０７８６５号公報
【発明の概要】
【発明が解決しようとする課題】
【０００５】
しかし、特許文献１に記載の「鉄塔用鳥害防止装置」は、威嚇音を大音量に増幅しスピーカーより周囲に発声させるもので、住宅地にある鉄塔に使用するのは難しかった。
【０００６】
したがって、本発明の目的は、威嚇音が小音量で、住宅地にある鉄塔にも使用できる鳥追い払い装置を提供することにある。
【課題を解決するための手段】
【０００７】
本発明にかかる代表的な鳥追い払い装置は、鳥類が近づいたとき検出信号を出力しかつ可変である指向性を有するセンサーと、該センサーに接続され前記検出信号が入力されたとき威嚇音を発する音源部と、前記威嚇音を放射しかつ可変である指向性を有するスピーカーと、電池とを有し、これらが一体に構成されていることを特徴とする。
【０００８】
かかる構成によれば、威嚇音が小音量となり、かつ装置がコンパクトで取付け取外しが容易となる。また、取付け位置の自由度が広がる。
【０００９】
前記電池が一次電池であることが好ましい。これにより、初期費用が安価となる。
【００１０】
前記電池が太陽電池と二次電池から構成されていることが好ましい。かかる構成によれば、一次電池の取替が不要となる。
【発明の効果】
【００１１】
本発明によれば、威嚇音が小音量で、住宅地にある鉄塔にも使用できる鳥追い払い装置を提供できる。
【図面の簡単な説明】
【００１２】
【図１】本発明の一次電池を用いた実施形態に係る鳥追い払い装置の機能ブロック図である。
【図２】本発明の実施形態に係る鳥追い払い装置の側面図である。
【図３】本発明の実施形態に係る鳥追い払い装置の設置斜視図である。
【図４】本発明の二次電池及び太陽電池を用いた実施形態に係る鳥追い払い装置の機能ブロック図である。
【図５】カラスの鉄塔腕金における営巣斜視図である。
【発明を実施するための形態】
【００１３】
以下に添付図面を参照しながら、本発明の好適な実施形態について詳細に説明する。かかる実施形態に示す形状などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１４】
図１は、本発明の一次電池を用いた実施形態に係る鳥追い払い装置の機能ブロック図、図２は、本発明の実施形態に係る鳥追い払い装置の側面図、図３は、本発明の実施形態に係る鳥追い払い装置の設置斜視図である。
【００１５】
図１に示すように、鳥追い払い装置８（図３参照）は、鳥類としてカラス１（図３参照）が近づいたとき検出信号を出力するセンサーである赤外線センサー５と、赤外線センサー５に接続され検出信号が入力されたとき威嚇音を発する音源部６と、威嚇音を放射するスピーカー７と、一次電池１１とを有している。赤外線センサー５はカラス１（図３参照）を検出すると、音源部６がその検出信号を受けてスピーカー７から威嚇音を発する。
【００１６】
図２に示すようにスピーカー７、音源部６、赤外線センサー５は、一次電池１１の筐体１０と一体に構成されている。このように鳥追い払い装置８（図３参照）が一体の構成となっていることによりコンパクトとなり、鉄塔２（図３参照）上への持ち運び、取付け取外しが容易となる。
【００１７】
図３に示すように、鳥追い払い装置８は高圧送電線路の鉄塔２の本体部材にバインド線で縛って固定する。カラス１の営巣場所は主に腕金３の先端と予想がつくため、その近傍に鳥追い払い装置８を設置する。また、カラス１が営巣を開始したのを発見してから鳥追い払い装置８を設置してもよい。
【００１８】
ここで、赤外線センサー５の検出範囲９は指向性を有し、検出範囲９を腕金３の先端に向けて設置する。赤外線センサー５の受光面周辺部に突起部を設けることにより、太陽光による誤動作を防止し、また指向性をもたせることができる。そして、カラス１が営巣のために腕金３の先端に近づいたことを検出したときにのみ威嚇音を発することにより、威嚇音を発する頻度を減らすことができる。これより、近隣住民に迷惑をかける頻度が少なくなり、また消費電力も抑えられる。
【００１９】
なお、センサーは赤外線センサー５に限られず、遠赤外性、超音波などを用いてもよい。検出対象はカラス１に限られず、鳩など他の鳥を対象としてもよい。また、設置場所も鉄塔２に限られず、電柱や樹木、建物の軒下など他の営巣場所の近くでもよい。
【００２０】
また、図３に示す赤外線センサー５は筐体１０（図２参照）に雲台を用いて取付けられている。そのため赤外線センサー５は筐体１０（図２参照）に固定されず、前後左右に回転できる。これにより、鉄塔２に対する筐体１０（図２参照）の固定方向にかかわらず、赤外線センサー５の検出範囲９を営巣場所に向けることができ、鳥追い払い装置８の設置箇所の自由度を向上させることができる。
【００２１】
なお、赤外線センサー５は前後左右に回転できる場合に限られず、方向ごとに赤外線センサー５を有しこれを切換えることにより指向性の方向を変えてもよい。また、鳥追い払い装置８自体が前後左右に回転できてもよい。
【００２２】
図２に示すように、スピーカー７はラッパ状のカバー１２を有し、カバー１２は腕金３（図３参照）の先端に向けて設置されている。これによりスピーカー７の音声出力方向は指向性を有するため、小音量でも威嚇音が腕金３（図３参照）の先端に達し、消費電力が抑えられる。また、カバー１２を腕金３（図３参照）の先端に向けることより、住宅地に届く威嚇音を減らして近隣住民にかける迷惑を低減することができる。
【００２３】
また、カバー１２は筐体１０に雲台を用いて取付けられている。そのためカバー１２は筐体１０に固定されず前後左右に回転できる。これにより、鉄塔２（図３参照）に対する筐体１０の固定方向にかかわらず、音声出力方向を営巣場所に向けることができる。
【００２４】
なお、カバー１２が前後左右に回転できる場合に限られず、鳥追い払い装置８（図３参照）自体が前後左右に回転できてもよい。
【００２５】
このように、赤外線センサー５の検出範囲９（図３参照）およびスピーカー７の音声出力方向を筐体１０に対して回転可能とすることにより、鳥追い払い装置８（図３参照）の設置箇所の自由度を向上させることができる。
【００２６】
また図１に示すように、一次電池１１から赤外線センサー５、音源部６、スピーカー７に電源線が接続され、電力が供給される。一次電池１１を用いることにより初期費用が安価となり、また商用電源からの電源線を布設する必要がなく、取付け取外しが容易となる。ここで、一次電池１１は、カラス１（図３参照）が巣を作る３月から４月にかけての少なくとも２ケ月間は鳥追い払い装置８（図３参照）が動作するのに十分な電源容量を有するとよい。
【００２７】
なお、電池は一次電池１１に限られず、図４に示すように筐体１０（図２参照）外部の上面に貼付けた太陽電池１４と筐体１０（図２参照）内部の二次電池１３からなるものでもよい。これより、一次電池１１（図２参照）の交換が不要となる。
【００２８】
このように、スピーカー７の音声出力方向が指向性を有することにより小音量でも威嚇音が腕金３の先端に達し、カバー１２を腕金３の先端に向けることより住宅地に届く威嚇音を減らして近隣住民にかける迷惑を低減することができる。
【００２９】
また、赤外線センサー５の検出範囲９は指向性を有し、カラス１が営巣のために腕金３の先端に近づいたことを検出したときにのみ威嚇音を発することにより、威嚇音を発する頻度を減らすことができる。
【００３０】
さらに、鳥追い払い装置８を一体構成とすることによりコンパクトとなり、鉄塔２上への持ち運び、取付け取外しが容易となる。
【００３１】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【実施例】
【００３２】
営巣シーズンが始まる段階で営巣がたびたび発生している鉄塔を選び試験したところ、本装置設置後はカラスが留まらなくなり営巣がなくなった。
【００３３】
なお、公然実施とならないように、肉眼では視認できない地上２５〜３０メートルの高所に本装置を設置し、試験を行った。
【符号の説明】
【００３４】
１    カラス
２    鉄塔
３    腕金
４    巣
５    赤外線センサー
６    音源部
７    スピーカー
８    鳥追い払い装置
９    検出範囲
１０  筐体
１１  一次電池
１２  カバー
１３  二次電池
１４  太陽電池
【図１】
2011254750.tif 000003
【図２】
2011254750.tif 000004
【図３】
2011254750.tif 000005
【図４】
2011254750.tif 000006
【図５】
2011254750.tif 000007